(57)【要約】【課題】毛束を備えるかつらにおいて、外観を自然にする。【解決手段】１つの観点では、かつら１は、かつらベース（第１のかつらベース１０）と、複数の毛束ユニット３０とを備える。毛束ユニット３０は、かつらベース（第１のかつらベース１０）を貫通する毛束３１と毛束３１の根元を支持する毛束ベース部３２とを含む。他の観点では、かつらは、第１のかつらベースと、少なくとも一部が第１のベースの内側に重なって配置された第２のかつらベースと、第２のかつらベースにより根元を支持され、第１のかつらベースを貫通する複数の毛束と、を備える。【選択図】図１
2014218763.tif 000002
【特許請求の範囲】
【請求項１】
かつらベースと、
前記かつらベースを貫通する毛束と該毛束の根元を支持する毛束ベース部とを含む複数の毛束ユニットと、
を備えることを特徴とするかつら。
【請求項２】
前記かつらベースは、前記毛束が貫通する開口部を含み、
前記毛束ベース部の一部は、前記開口部の周囲において前記かつらベースの内側に重なって配置されている、
ことを特徴とする請求項１記載のかつら。
【請求項３】
前記開口部は、前記かつらベースに形成されたスリットであることを特徴とする請求項２記載のかつら。
【請求項４】
前記開口部は、前記かつらベースの網目であることを特徴とする請求項２記載のかつら。
【請求項５】
前記かつらベースは、第１のかつらベースであり、
前記かつらは、少なくとも一部が前記第１のかつらベースの内側に重なって配置された第２のかつらベースを更に備え、
前記毛束ベース部は、第１のかつらベースと前記第２のかつらベースとの間に配置されている、
ことを特徴とする請求項１から請求項４のいずれか１項記載のかつら。
【請求項６】
前記毛束ユニットは、単一の前記毛束を含むことを特徴とする請求項１から請求項５のいずれか１項記載のかつら。
【請求項７】
前記毛束ユニットは、単一の前記毛束ベース部により前記根元を支持され互いに分離して配置された複数の前記毛束を含むことを特徴とする請求項１から請求項５のいずれか１項記載のかつら。
【請求項８】
前記毛束ベース部は、着脱自在に配置されていることを特徴とする請求項１から請求項７のいずれか１項記載のかつら。
【請求項９】
第１のかつらベースと、
少なくとも一部が該第１のベースの内側に重なって配置された第２のかつらベースと、
前記第２のかつらベースにより根元を支持され、前記第１のかつらベースを貫通する複数の毛束と、
を備えることを特徴とするかつら。
【発明の詳細な説明】
【技術分野】
【０００１】
本発明は、毛束を備えるかつらに関する。
【背景技術】
【０００２】
従来、毛束が結着或いは接着されることで毛束の根元を支持する毛束ベース部と毛束とを有する毛束ユニットが配置されたかつらが提案されている（例えば、特許文献１及び２参照）。
【０００３】
かつらは、毛色を変えておしゃれを楽しむために用いられることがある。所望する毛色のかつらを装着すれば、自毛の色を変えずにおしゃれを楽しむことが可能になる。一方、ヘアカラーやブリーチ剤を使用して人の実際の頭髪である自毛の毛色を変えることは、非常に手間がかかり、繰り返し行うことで自毛を傷めることにもなる。
【０００４】
しかし、かつらで使用される毛髪は、主に人工毛髪（例えば、ポリエステル、ナイロン等の合成樹脂）が使用され、稀に、かつら用の加工人毛も使用されるが、いずれの場合も自毛のように色を変えることは予定されていない。
【０００５】
そのため、毛束ユニットを着脱自在にかつらに配置することは、かつらの毛髪の色を変える観点で有効となりうる。
ところで、かつらで主に使用される人工毛髪は、長期間使用されることで、抜けたり切れたり縮れが生じたりするので、これらの場合には、かつらを修理（例えば、増毛修理）する必要がある。
【０００６】
また、かつらのヘアスタイルについても、ショートスタイルで作製したかつらをロングスタイルにアレンジして利用することは不可能であるし、その場合には新たにかつらを作成しなくてはならない。
【０００７】
そのため、かつらの修理の観点及びヘアスタイルを変更する観点においても、毛束ユニットを着脱自在にかつらに配置することが有効となりうる。
【先行技術文献】
【特許文献】
【０００８】
【特許文献１】実開昭４８−５０２９０号公報
【特許文献２】実開昭５０−１１７８号公報
【発明の概要】
【発明が解決しようとする課題】
【０００９】
しかしながら、毛束ユニットは、かつらベースに取り付けられる毛束ベース部が外部に露出しやすいため、外観を自然なものとするのが困難であるという問題がある。
このような問題は、毛束ユニットをかつらベースに固定する場合にも生じうる。また、同様の問題は、毛束ユニット以外に毛束を用いる場合、例えば、複数の毛束が直接かつらベースにより支持される場合などにも生じうる。すなわち、複数の毛束が互いに分離して配置されると、それ自体が違和感を与えうるため、毛束の根元の結着部分や接着部分などの支持部分が露出すると、外観が不自然なものとなりやすい。
【００１０】
本発明の目的は、毛束を備えるかつらにおいて、外観を自然にすることである。
【課題を解決するための手段】
【００１１】
１つの観点では、かつらは、かつらベースと、前記かつらベースを貫通する毛束と該毛束の根元を支持する毛束ベース部とを含む複数の毛束ユニットと、を備える。
また、前記かつらにおいて、前記かつらベースは、前記毛束が貫通する開口部を含み、前記毛束ベース部の一部は、前記開口部の周囲において前記かつらベースの内側に重なって配置されているようにしてもよい。
【００１２】
また、前記かつらにおいて、前記開口部は、前記かつらベースに形成されたスリットであるようにしてもよい。
また、前記かつらにおいて、前記開口部は、前記かつらベースの網目であるようにしてもよい。
【００１３】
また、前記かつらにおいて、前記かつらベースは、第１のかつらベースであり、前記かつらは、少なくとも一部が前記第１のかつらベースの内側に重なって配置された第２のかつらベースを更に備え、前記毛束ベース部は、第１のかつらベースと前記第２のかつらベースとの間に配置されているようにしてもよい。
【００１４】
また、前記かつらにおいて、前記毛束ユニットは、単一の前記毛束を含むようにしてもよい。
また、前記かつらにおいて、前記毛束ユニットは、単一の前記毛束ベース部により前記根元を支持され互いに分離して配置された複数の前記毛束を含むようにしてもよい。
【００１５】
また、前記かつらにおいて、前記毛束ベース部は、着脱自在に配置されているようにしてもよい。
他の観点では、かつらは、第１のかつらベースと、少なくとも一部が該第１のベースの内側に重なって配置された第２のかつらベースと、前記第２のかつらベースにより根元を支持され、前記第１のかつらベースを貫通する複数の毛束と、を備える。
【発明の効果】
【００１６】
本発明によれば、毛束を備えるかつらにおいて、外観を自然にすることができる。
【図面の簡単な説明】
【００１７】
【図１】本発明の第１実施形態に係るかつらを示す断面図である。
【図２】本発明の第１実施形態に係るかつらを示す平面図である。
【図３】本発明の第１実施形態における毛束ユニットを示す正面図である。
【図４】本発明の第１実施形態における第１のかつらベース及び第２のかつらベースを示す平面図である。
【図５】本発明の第２実施形態に係るかつらを示す平面図である。
【図６】本発明の第３実施形態における毛束ユニットを示す斜視図である。
【図７】本発明の第３実施形態に係るかつらを示す断面図である。
【図８】本発明の第３実施形態の変形例に係るかつらを示す断面図である。
【図９】本発明の第４実施形態に係るかつらを示す斜視図である。
【図１０】本発明の第５実施形態に係るかつらを示す斜視図である。
【図１１】本発明の第６実施形態に係るかつらを示す斜視図である。
【発明を実施するための形態】
【００１８】
以下、本発明の実施の形態に係るかつらについて、図面を参照しながら説明する。
＜第１実施形態＞
図１及び図２は、本発明の第１実施形態に係るかつら１を示す断面図及び平面図である。
【００１９】
図３は、第１実施形態における毛束ユニット３０を示す正面図である。
図４は、第１実施形態における第１のかつらベース１０及び第２のかつらベース２０を示す平面図である。
【００２０】
図１及び図２に示すかつら１は、第１のかつらベース１０と、第２のかつらベース２０と、複数の毛束ユニット３０とを備える。
第２のかつらベース２０は、少なくとも一部が第１のかつらベース１０の内側、すなわちかつら１の装着者の頭部側に重なって配置されている。
【００２１】
第１のかつらベース１０及び第２のかつらベース２０は、例えばネット状であるが、合成樹脂からなる人工皮膚などであってもよい。また、図２及び図４では、第１のかつらベース１０及び第２のかつらベース２０は、便宜上、四角形状に図示されているが、かつら１の装着者の頭部全体を覆う形状であっても、頭部の一部を覆う形状であってもよい。
【００２２】
図１、図２、及び図４に示すように、第１のかつらベース１０は、後述する毛束３１が貫通する開口部の一例であるスリット１０ａを含む。このスリット１０ａは、第１のかつらベース１０がネット状である場合には、例えば、第１のかつらベース１０の複数の網目に亘るように形成される。なお、第１のかつらベース１０には、人工毛髪などの毛髪が植毛されていてもよい。
【００２３】
図３に示すように、毛束ユニット３０は、単一の毛束３１と、単一の毛束ベース部３２とを含む。
毛束３１は、第１のかつらベース１０を貫通する。
【００２４】
毛束ベース部３２は、毛束３１が結着、接着などにより取り付けられることで、毛束３１の根元３１ａを支持する。毛束ベース部３２は、図２では、平面視楕円形状のシート状に図示されているが、形状は特に制限されない。
【００２５】
図１に示すように、毛束ベース部３２は、第１のかつらベース１０と第２のかつらベース２０との間に配置されている。
図２に示すように、毛束ベース部３２と、毛束３１の長さ方向の一部とは、例えば第１のかつらベース１０の外側から、スリット１０ａに挿入される。これにより、毛束ベース部３２が第１のかつらベース１０と第２のかつらベース２０との間に配置される。
【００２６】
なお、毛束ベース部３２は、スリット１０ａに挿入しやすいように、少なくとも周縁を補強するとよい。毛束ベース部３２の補強の一例としては、周縁を折り返して形成したり、周縁を金属などの硬質材料で形成したりすることが挙げられる。
【００２７】
また、第２のかつらベース２０は、省略することができる。第２のかつらベース２０を省略する場合には、毛束ベース部３２は、第１のかつらベース１０とかつら１の装着者の頭部との間に配置されることになる。
【００２８】
毛束ベース部３２は、第１のかつらベース１０及び第２のかつらベース２０に固定されておらず、着脱自在に配置されているといえる。
なお、毛束３１が第１のかつらベース１０の内側からスリット１０ａを貫通するようにしてもよい。その場合には、第２のかつらベース２０は、毛束３１が第１のかつらベース１０の内側からスリット１０ａを貫通した状態で、第１のかつらベース１０と例えば周縁において互いに固定されるようにするとよい。
【００２９】
図２に示すように、スリット１０ａの長手方向において、スリット１０ａの長さＤ１１は、毛束ベース部３２の長さ（毛束ベース部３２も例えば長手方向）Ｄ１よりも長い。一方、図１に示すように、スリット１０ａの長手方向に直交する短手方向において、スリット１０ａの長さＤ１２は、毛束ベース部３２の長さＤ２よりも短い。そのため、毛束ベース部３２の一部（本実施の形態では大部分）は、スリット１０ａの周囲において第１のかつらベース１０の内側に重なって配置されている。
【００３０】
以上説明した第１実施形態では、毛束ユニット３０は、第１のかつらベース１０を貫通する毛束３１と、この毛束３１の根元３１ａを支持する毛束ベース部３２とを含む。そのため、毛束ベース部３２が外部に露出しにくくなる。よって、本実施形態によれば、毛束３１を備えるかつら１において、外観を自然にすることができる。
【００３１】
また、本実施形態では、第１のかつらベース１０は、毛束３１が貫通するスリット（開口部の一例）１０ａを含み、毛束ベース部３２の一部は、スリット１０ａの周囲において第１のかつらベース１０の内側に重なって配置されている。そのため、毛束ベース部３２がスリット１０ａから脱落するのを防止することができる。
【００３２】
また、本実施形態では、毛束３１が貫通する第１のかつらベース１０の開口部の一例としてスリット１０ａが形成されている。そのため、毛束ベース部３２の形状に合わせてスリット１０ａを形成することで、毛束ベース部３２がスリット１０ａから脱落するのを防止したり、毛束ベース部３２が露出する部分を減らしたりすることができる。
【００３３】
また、本実施形態では、毛束ベース部３２は、第１のかつらベース１０と第２のかつらベース２０との間に配置されている。そのため、毛束ベース部３２を直接かつら１の装着者の頭部に接触させずに保持することができる。
【００３４】
また、本実施形態では、毛束ユニット３０は、毛束３１を１つのみ含む。そのため、複数の毛束３１が毛束ユニット３０に配置される場合に比較して、毛束ベース部３２を第１のかつらベース１０の外側からスリット１０ａに挿入しやすくすることができる。
【００３５】
また、本実施形態では、毛束ベース部３２は、着脱自在に配置されている。そのため、毛束ユニット３０を、毛色やヘアスタイルを変更するために用いたり、かつら１を修理するために交換したりする作業を容易にすることができる。
【００３６】
＜第２実施形態＞
図５は、本発明の第２実施形態に係るかつら１０１を示す平面図である。
本実施形態では、第１のかつらベース１１０の開口部の一例が網目１１０ａである点において、上述の第１実施形態と相違し、その他の点は概ね同様である。そのため、詳細な説明は省略する。
【００３７】
第１のかつらベース１１０は、ネット状である。第２のかつらベース１２０は、ネット状であるか、或いは、人工皮膚などである。
第２のかつらベース１２０がネット状である場合、第１のかつらベース１１０の網目１１０ａの大きさは、第２のかつらベース１２０の網目の大きさ以上とするとよい。
【００３８】
第１のかつらベース１１０の網目１１０ａは、図５に示すように例えば菱形形状である。
網目１１０ａの長手方向において、網目１１０ａの長さＤ２１は、毛束ベース部３２の長さ（毛束ベース部３２も例えば長手方向）Ｄ１よりも長い。一方、網目１１０ａの長手方向に交差する少なくとも１つの方向において、網目１１０ａの長さＤ２２は、毛束ベース部３２の長さＤ３よりも短い。そのため、毛束ベース部３２の一部は、網目１１０ａの周囲（例えば、網目を形成する線状又は帯状の部材）において第１のかつらベース１１０の内側に重なって配置されている。
【００３９】
以上説明した第２実施形態においても、毛束ユニット３０は、第１のかつらベース１１０を貫通する毛束３１と、毛束ベース部３２とを含む。そのため、毛束ベース部３２が外部に露出しにくくなる。よって、本実施形態によっても、毛束３１を備えるかつら１０１において、外観を自然にすることができる。
【００４０】
また、本実施形態では、毛束３１が貫通する第１のかつらベース１１０の開口部の一例が網目１１０ａである。そのため、上述の第１実施形態のスリット１０ａなどを形成せずに、所望の位置で毛束３１を貫通させたり毛束ベース部３２を挿入したりすることができる。
【００４１】
＜第３実施形態＞
図６は、本発明の第３実施形態における毛束ユニット２３０を示す斜視図である。
図７は、第３実施形態に係るかつら２０１−１を示す断面図である。
【００４２】
本実施形態では、毛束ユニット２３０の毛束ベース部２３２のうち毛束２３１側の面の裏面である第１の面２３２ａに、着脱自在取付部の一例である面ファスナー部２３２ａ−１が設けられている点において、上述の第１実施形態と相違し、その他の点は概ね同様である。そのため、詳細な説明は省略する。なお、第３実施形態を第１実施形態又は第２実施形態に適用することができる。
【００４３】
図６及び図７に示すように、毛束ユニット２３０の面ファスナー部２３２ａ−１は、第２のかつらベース２０に係合することで、第２のかつらベース２０に対し着脱自在に取り付けられる。なお、第２のかつらベース２０にも面ファスナー部を設けてもよいし、或いは、第２のかつらベース２０のみに面ファスナー部を設けてもよい。
【００４４】
毛束ユニット２３０を第２のかつらベース２０に対し着脱自在にするためには、毛束ベース部２３２が他の着脱自在取付部（例えば、金属製などのスナップボタン）を有していてもよい。
【００４５】
図８は、第３実施形態の変形例に係るかつら２０１−２を示す断面図である。
図８に示すように、毛束２３１の根元２３１ａを支持する毛束ベース部２３２の着脱自在取付部の一例である面ファスナー部２３２ｂ−１は、毛束ユニット２３０の毛束ベース部２３２のうち毛束２３１側の第２の面２３２ｂに設けられていてもよい。その場合は、図８に示すように、第２のかつらベース２０を省略してもよい。図８に示す変形例の場合においては、第１のかつらベース１０側にも面ファスナー部を設けてもよいし、或いは、第１のかつらベース１０のみに面ファスナー部を設けてもよい。
【００４６】
なお、毛束ベース部２３２は、第１のかつらベース１０及び第２のかつらベース２０のうち少なくとも一方に着脱自在に取り付けられずに、例えば、着脱不能に、接着、溶着、縫い付けなどにより取り付けられてもよい。
【００４７】
以上説明した第３実施形態においても、毛束ユニット２３０は、第１のかつらベース１１０を貫通する毛束２３１と、毛束ベース部２３２とを含む。そのため、毛束ベース部２３２が外部に露出しにくくなる。よって、本実施形態によっても、毛束２３１を備えるかつら２０１において、外観を自然にすることができる。
【００４８】
また、本実施形態では、第１のかつらベース１０及び第２のかつらベース２０の少なくとも一方に着脱自在に取り付けられる面ファスナー部２３２ａ−１，２３２ｂ−１（着脱自在取付部の一例）が毛束ベース部２３２に設けられることで、毛束ベース部２３２が着脱自在に配置されている。そのため、毛束ユニット２３０の位置を面ファスナー部２３２ａ−１，２３２ｂ−１によって位置決めしても、毛色やヘアスタイルを変更するために用いたり、かつら２０１を修理するために交換したりする作業を容易にすることができる。
【００４９】
＜第４実施形態＞
図９は、本発明の第４実施形態に係るかつら３０１を示す斜視図である。
本実施形態では、毛束ユニット３３０が、単一の毛束ベース部３３２により根元を支持され互いに分離して配置された複数の毛束３３１を含む点において、上述の第２実施形態と相違し、その他の点は概ね同様である。そのため、詳細な説明は省略する。なお、第４実施形態を第１実施形態〜第３実施形態に適用することができる。
【００５０】
毛束ユニット３３０の複数の毛束３３１は、第１のかつらベース３１０の内側から開口部の一例である網目３１０ａに挿入される。第２のかつらベース３２０は、複数の毛束３３１の各々が第１のかつらベース３１０の内側から網目３１０ａに挿入された後で、第１のかつらベース３１０と例えば周縁において互いに固定される。
【００５１】
なお、複数の毛束３３１を支持する毛束ベース部３３２を複数配置してもよい。また、毛束ベース部３３２は、例えば折り畳むことで、第１のかつらベース３１０の外側から、網目３１０ａに挿入されて第１のかつらベース３１０と第２のかつらベース３２０との間に配置されるようにしてもよい。
【００５２】
以上説明した第４実施形態においても、毛束ユニット３３０は、第１のかつらベース３１０を貫通する毛束３３１と、毛束ベース部３３２とを含む。そのため、毛束ベース部３３２が外部に露出しにくくなる。よって、本実施形態によっても、毛束３３１を備えるかつら３０１において、外観を自然にすることができる。
【００５３】
また、本実施形態では、毛束ユニット３３０は、単一の毛束ベース部３３２により根元を支持され互いに分離して配置された複数の毛束３３１を含む。そのため、毛束ベース部３３２が網目３１０ａから脱落するのを防止したり、簡素な構成としたりすることができる。
【００５４】
＜第５実施形態＞
図１０は、本発明の第５実施形態に係るかつら４０１を示す斜視図である。
本実施形態では、第１のかつらベース４１０が伸縮する点において、上述の第２実施形態と相違し、その他の点は概ね同様である。そのため、詳細な説明は省略する。なお、第５実施形態を第１実施形態〜第４実施形態に適用することができる。
【００５５】
第１のかつらベース４１０は、少なくとも１つの伸縮方向Ｄ（例えば、網目４１０ａの長手方向に直交する方向）において伸縮する。これにより、開口部の一例である網目４１０ａに外側から毛束ベース部３２が挿入しやすくなる。
【００５６】
第１のかつらベース４１０は、例えば、毛束ベース部３２の挿入時のみに、人の手で網目４１０ａを引き延ばされる。なお、第１のかつらベース４１０は、伸縮性の素材からなるようにするとよいが、公知の編み方によって伸縮性を持たせてもよい。
【００５７】
以上説明した第５実施形態においても、毛束ユニット３０は、第１のかつらベース４１０を貫通する毛束３１と、毛束ベース部３２とを含む。そのため、毛束ベース部３２が外部に露出しにくくなる。よって、本実施形態によっても、毛束３１を備えるかつら４０１において、外観を自然にすることができる。
【００５８】
また、本実施形態では、第１のかつらベース４１０が伸縮する。そのため、第１のかつらベース４１０の網目（開口部の一例）４１０ａに毛束ベース部３２を挿入しやすくすることができる。
【００５９】
＜第６実施形態＞
図１１は、本発明の第６実施形態に係るかつら５０１を示す斜視図である。
本実施形態では、毛束５３０が、毛束ユニットの一部として配置されるのではなく、第２のかつらベース５２０により根元を支持される点において、上述の第１実施形態、第２実施形態、又は第４実施形態と相違し、その他の点は概ね同様である。そのため、詳細な説明は省略する。
【００６０】
複数の毛束５３０は、第２のかつらベース５２０により根元を支持され、第１のかつらベース５１０の開口部の一例である網目５１０ａを貫通する。開口部としては、例えば、図１に示すスリット１０ａであってもよい。
【００６１】
毛束５３０は、第２のかつらベース５２０により根元を支持された状態で第１のかつらベース５１０を貫通するように第１のかつらベース５１０を第２のかつらベース５２０に重ねるとよい。或いは、毛束５３０は、第１のかつらベース５１０と第２のかつらベース５２０とが重ねられた状態で、第１のかつらベース５１０を貫通させて第２のかつらベース５２０に対し例えば結着されるとよい。
【００６２】
以上説明した第５実施形態において、複数の毛束５３０は、第２のかつらベース５２０により根元を支持され、第１のかつらベース５１０を貫通する。そのため、毛束５３０の根元の結び目や接着部分などの支持部分が露出しにくくなる。よって、本実施形態によれば、毛束５３０を備えるかつら５０１において、外観を自然にすることができる。
【符号の説明】
【００６３】
１      かつら
１０      第１のかつらベース
１０ａ      スリット
２０      第２のかつらベース
３０      毛束ユニット
３１      毛束
３１ａ      根元
３２      毛束ベース部
１０１      かつら
１１０      第１のかつらベース
１１０ａ      網目
１２０      第２のかつらベース
２０１−１      かつら
２０１−２      かつら
２３０      毛束ユニット
２３１      毛束
２３１ａ      根元
２３２      毛束ベース部
２３２ａ      第１の面
２３２ａ−１      面ファスナー部
２３２ｂ      第２の面
２３２ｂ−１      面ファスナー部
３０１    かつら
３１０      第１のかつらベース
３１０ａ      網目
３２０      第２のかつらベース
３３０      毛束ユニット
３３２      毛束ベース部
４０１      かつら
４１０      第１のかつらベース
４１０ａ      網目
４２０      第２のかつらベース
５０１      かつら
５１０      第１のかつらベース
５１０ａ      網目
５２０      第２のかつらベース
５３０      毛束
【図１】
2014218763.tif 000003
【図２】
2014218763.tif 000004
【図３】
2014218763.tif 000005
【図４】
2014218763.tif 000006
【図５】
2014218763.tif 000007
【図６】
2014218763.tif 000008
【図７】
2014218763.tif 000009
【図８】
2014218763.tif 000010
【図９】
2014218763.tif 000011
【図１０】
2014218763.tif 000012
【図１１】
2014218763.tif 000013